(57)【特許請求の範囲】
【請求項１】
回転方向に沿って形成されたプリピットにより情報を記録する光ディスクにおいて、プリピット列に沿って、プリピットとプリピットの間に、プリピット深さよりも浅いピット間ピットが形成され、ピット間ピットは、プリピット側の両端部におけるその中央部が、平ら若しくは凹んでいることを特徴とする光ディスク。
【請求項２】
回転方向に沿って形成されたプリピットにより情報を記録する光ディスクにおいて、プリピット列に沿って、プリピットとプリピットの間に、プリピット深さよりも浅いピット間ピットが形成され、ピット間ピットは、その底の中央部が凸になっていることを特徴とする光ディスク。
【請求項３】
回転方向に沿って形成されたプリピットにより情報を記録する光ディスクにおいて、プリピット列に沿って、プリピットとプリピットの間に、プリピット深さよりも浅いピット間ピットが形成され、ピット間ピットがトラックに沿って平行に且つトラック中心から両側に２本形成されていることを特徴とする光ディスク。
【請求項４】
回転方向に沿って形成されたプリピットにより情報を記録する光ディスクにおいて、プリピット列に沿って、プリピットとプリピットの間に、プリピット深さよりも浅いピット間グルーブが形成され、ピット間グルーブは、その底の中央部が凸になっていることを特徴とする光ディスク。
【請求項５】
回転方向に沿って形成されたプリピットにより情報を記録する光ディスクにおいて、プリピット列に沿って、プリピットとプリピットの間に、プリピット深さよりも浅いピット間グルーブが形成され、ピット間グルーブがトラックに沿って平行に且つトラック中心から両側に２本形成されていることを特徴とする光ディスク。
【請求項６】
光ディスクの原盤を露光することにより、情報を記録するためのプリピットが回転方向に沿って形成され、これらプリピット列に沿って、プリピットとプリピットとの間にプリピット深さよりも浅いピット間ピット又はピット間グルーブが形成される光ディスクの原盤の露光方法であって、露光用ビームを原盤露光面のプリピットと、ピット間ピット又はピット間グルーブとで光量が変わるように光量変調し、且つピット間ピット又はピット間グルーブでは光ディスクの半径方向に並んだ複数のビームで露光することを特徴とする原盤の露光方法。
【請求項７】
プリピットと、ピット間ピット又はピット間グルーブとの間では、所定時間光量が０になるように光量変調することを特徴とする請求項６に記載の原盤の露光方法。
【発明の詳細な説明】
【０００１】
【発明の属する技術分野】
予めプリピットが形成され、トラックに隣接するプリピットとプリピットの間に浅いグルーブ、又は浅いピットを有するＣＤ−Ｒ（Ｃｏｍｐａｃｔ  ＤｉｓｋＲｅｃｏｒｄａｂｌｅ）、ＣＲ−ＲＷ（Ｃｏｍｐａｃｔ  Ｄｉｓｋ  Ｒｅｗｒｉｔａｂｌｅ）等の光ディスク及びその原盤の露光装置に関する。
【０００２】
【従来の技術】
ＣＤ−Ｒと呼ばれる追記可能なコンパクトディスク（ＣＤ）等の光情報記録媒体である光ディスクは、オレンジブックと呼ばれる規格書で規定されいる。通常のＣＤ−Ｒは、全面がプリグルーブからなり、プリグルーブは蛇行（ウォブリング）していて、このウォブリングの周期の変動により、ＡＴＩＰ（Ａｂｓｏｌｕｔｅ  Ｔｉｍｅ  ｉｎ  Ｐｒｅ−ｇｒｏｏｖｅ）と呼ばれる時間情報が記録されている。
【０００３】
ＣＤ−Ｒは、内周から光量設定を行うＰＣＡ（Ｐｏｗｅｒ  ｃａｌｉｂｒａｔｉｏｎ  Ａｒｅａ）、追記時の位置を記録するＰＭＡ（Ｐｒｏｇｒａｍ  ｍｅｍｏｒｙ  Ａｒｅａ）、目次情報（Ｔａｂｌｅ  ｏｆ  ｃｏｎｔｅｎｔｓ）を記録するＬＩＡ（Ｌｅａｄ−ｉｎ  Ａｒｅａ）、データを記録する情報領域（Ｐｒｏｇｒａｍ  Ａｒｅａ）、等からなり、プリグルーブに沿ってピットをＣＤライターで記録することにより、情報が記録される。
【０００４】
ＣＤ−Ｒは、情報を記録後に、記録された位置情報（ＡＴＩＰ時間）をＰＭＡに記録することにより追記できる。よって、追記後のＣＤ−Ｒは、情報領域の一部と、ＰＭＡの一部にピットが形成される。また、ＣＤ−Ｒには、一部に予めプリピットが記録されたものもあり、ハイブリッドディスクと呼ばれていて、情報と、ＰＭＡの一部がプリピットで形成される。プリピットもプリグルーブと同様、蛇行している。
【０００５】
次に、従来例について説明する。ハイブリッドディスクにおいて、プリピットで形成されたＲＯＭ領域は、プリグルーブで形成された記録可能領域に比べトラッキングエラー信号（ｐｕｓｈ−ｐｕｌｌ信号）が小さくなる問題があった。これを改善するために、例えば、特開平５−６５７８では、光情報記録媒体のアドレスピットとアドレスピットの間に、プリグルーブよりも広く浅いピット間溝を形成し、プリピット領域のトラッキングエラーを改善している。
【０００６】
また、特開平５−１２６８０では、上記ハイブリッドディスクのプリピットとプリピットの間にプリグルーブと同じ深さと幅を持つピット間溝（ピット間グルーブ）を形成し、プリピット領域とプリグルーブ領域の反射率の変動をなくしている。また、特開平６−１３１７０１は、記録再生可能領域と再生専用領域が混在したパーシャルＲＯＭで、プリグルーブが形成された記録再生可能領域とプリピットが形成された再生専用領域のトラッキングエラー信号が同等になるようなピット間溝をプリピットとプリピットの間に形成している。
【０００７】
また、特開平８−７３３９は、パーシャルＲＯＭで、プリピットが形成された再生専用領域のトラッキングエラー信号とＣＴＳ（Ｃｒｏｓｓ  Ｔｒａｃｋ  Ｓｉｇｎａｌ）信号を改善するため、プリピットとプリピットの間をプリピットよりも狭く、且つレーザ光の波長をλ、光ディスク基板の屈折率をｎとしたときにλ／８ｎよりも浅いピット間溝を形成している。
【０００８】
また、特開平５−３６０８７では、プリピットをウォブリングした場合、プリグルーブに比べＷＣＮ（Ｗｏｂｂｌｅ  Ｃ／Ｎ比）が低く、ウォブル量を増やすとジッタが増えてしまう問題があり、解決手段として上記プリピットとプリピットの間のグルーブを設けている。
【０００９】
一方、上述のようなピット間グルーブを有する光ディスク原盤の露光方法としては、例えば、特開平５−１２６８０がある。これは２本のビームを用意し、１本のビームでグルーブ（Ｇｒ）を連続露光しながら、同じトラック上にもう１本のビームで光をＯＮ／ＯＦＦしながらプリピットを露光することにより、連続したＧｒの中にプリピットを形成する。また、１本のビームのビーム強度をプリピットとピット間グルーブ（Ｐｉｔ間Ｇｒ）で変えて露光し、Ｐｉｔ間Ｇｒで接続されたプリピットを形成する。どちらも、ピット間グルーブの露光は１ビームで露光している。
【００１０】
これらの露光装置の構成を図７に示す。レーザ光源１０６からのビームを、光量変調素子１０５ａでプリピット用の光量に変調したプリピット用のビームaと、光量変調素子１０５ｂでＰｉｔ間Ｇｒ用の光量に変調したＰｉｔ間Ｇｒ用ビームｂとの２本のビームを用意し、プリピット用のビームaは、Ｐｉｔ／Ｐｉｔ間Ｇｒ信号回路１１３からのプリピット用信号ｃを、デジタル変調ドライバー１０８ａに入力してデジタル変調素子１０４ａでＯＮ／ＯＦＦし、ビーム整形素子１０３ａでピットに必要なビーム形状に整形される。
【００１１】
一方、Ｐｉｔ間Ｇｒ用ビームｂは、Ｐｉｔ間Ｇｒ用信号dをデジタル変調ドライバー１０８ｂに入力してデジタル変調素子１０４ｂでＯＮ／ＯＦＦし、ビーム整形素子１０３ｂでグルーブに必要なビーム形状に整形される。２本のビームを、ビーム合成素子１１１で合成してピックアップ１０２で集光して光ディスク原盤１０１上に照射することにより、プリピット間にＰｉｔ間ＧｒやＰｉｔ間Ｐｉｔ（ピット間ピット）を有する原盤１０１を露光する。
【００１２】
【発明が解決しようとする課題】
しかし、上述のように、プリピットとプリピットをピット間グルーブまたはピット間ピットでつなぐと、ピット間グルーブまたはピット間ピットの影響で、ピットが伸びてしまい、また、ピットのトラック断面の傾斜角が小さくなってしまい、プリピットのジッタ（プリピットの長さのばらつき）が大きくなるという不具合があった。
【００１３】
この原因は一般に露光ビームは円形で中心部が強いため、プリピットとピット間ピットの間隔を空けても、プリピットのトラック中心はピット間ピットの影響で中心部のみが伸びてとがった形状になってしまうためであり、伸び量のばらつきとトラッキング誤差のためにジッタが大きくなる。
【００１４】
即ち、図８（ａ）、（ｂ）に示すプリピット列１３０に、図７（ｃ）のようなピット間ピット１３１を形成すると、プリピット１３２とピット間ピット１３１の間ではピット間ピット用露光光と、プリピット用露光光とが重なるので、プリピット１３２及びピット間ピット１３１の中心部が伸びて、図７（ｄ）、（ｅ）に示すピット１３２ａ、ピット間ピット１３１ａのような形状になってしまい、プリピットのジッタが大きくなってしまう。
【００１５】
そこで、本発明は、プリピットのジッタを改善できる光ディスク及びその原盤の露光方法を提供することを目的とする。
【００１６】
【課題を解決するための手段】
請求項１に記載の発明は、回転方向に沿って形成されたプリピットにより情報を記録する光ディスクにおいて、プリピット列に沿って、プリピットとプリピットの間に、プリピット深さよりも浅いピット間ピットが形成され、ピット間ピットは、プリピット側の両端部におけるその中央部が、平ら若しくは凹んでいることを特徴とする。
【００１７】
この請求項１に記載の発明では、ピット間ピットのプリピット側の端部の形状を平らにしたり、或いは凹ませていることにより、ピット間ピットのプリピットへの影響がトラック中心から両側へ分散するので、プリピットのトラック中心のみが伸びるのを防止でき、プリピットのジッタを改善できる。
【００１８】
請求項２に記載の発明は、回転方向に沿って形成されたプリピットにより情報を記録する光ディスクにおいて、プリピット列に沿って、プリピットとプリピットの間に、プリピット深さよりも浅いピット間ピットが形成され、ピット間ピットは、その底の中央部が凸になっていることを特徴とする。
【００１９】
この請求項２に記載の発明では、ピット間ピットの底の中央部が凸になっていることにより、ピット間ピットのプリピットへの影響がトラック中心から両側へ分散するので、プリピットのトラック中心のみが伸びるのを防止でき、プリピットのジッタを改善できる。
【００２０】
請求項３に記載の発明は、回転方向に沿って形成されたプリピットにより情報を記録する光ディスクにおいて、プリピット列に沿って、プリピットとプリピットの間に、プリピット深さよりも浅いピット間ピットが形成され、ピット間ピットがトラックに沿って平行に且つトラック中心から両側に２本形成されていることを特徴とする。
【００２１】
この請求項３に記載の発明では、ピット間ピットが、トラックに沿って平行に且つプリピットのトラック中心位置から両側に２本形成されていることにより、ピット間ピットのプリピットへの影響がトラック中心から両側に分散するので、プリピットのトラック中心のみが伸びるのを防止でき、プリピットのジッタを改善できる。
【００２２】
請求項４に記載の発明は、回転方向に沿って形成されたプリピットにより情報を記録する光ディスクにおいて、プリピット列に沿って、プリピットとプリピットの間に、プリピット深さよりも浅いピット間グルーブが形成され、ピット間グルーブは、その底の中央部が凸になっていることを特徴とする。
【００２３】
この請求項４に記載の発明では、ピット間グルーブの底面の中央部が凸になっていることにより、ピット間グルーブのプリピットへの影響がトラック中心から両側へ分散するので、プリピットのトラック中心のみが伸びるのを防止でき、プリピットのジッタを改善できる。
【００２４】
請求項５に記載の発明は、回転方向に沿って形成されたプリピットにより情報を記録する光ディスクにおいて、プリピット列に沿って、プリピットとプリピットの間に、プリピット深さよりも浅いピット間グルーブが形成され、ピット間グルーブがトラックに沿って平行に且つトラック中心から両側に２本形成されていることを特徴とする。
【００２５】
この請求項５に記載の発明では、ピット間グルーブがトラックに沿って平行に且つトラック中心から両側に２本形成されていることにより、ピット間グルーブのプリピットへの影響がトラック中心から両側へ分散するので、プリピットのトラック中心のみが伸びるのを防止でき、プリピットのジッタを改善できる。
【００２６】
請求項６に記載の発明は、光ディスクの原盤を露光することにより、情報を記録するためのプリピットが回転方向に沿って形成され、これらプリピット列に沿って、プリピットとプリピットとの間にプリピット深さよりも浅いピット間ピット又はピット間グルーブが形成される光ディスクの原盤の露光方法であって、露光用ビームを原盤露光面のプリピットと、ピット間ピット又はピット間グルーブとで光量が変わるように光量変調し、且つピット間ピット又はピット間グルーブでは光ディスクの半径方向に並んだ複数のビームで露光することを特徴とする。
【００２７】
この請求項６に記載の発明では、ピット間ピット又はピット間グルーブを半径方向に並んだ複数のビームで分散して露光するので、ピット間ピット又はピット間グルーブへの露光の影響が、プリピットのトラック中心に偏るのを防止でき、プリピットのジッタが改善された光ディスクを製造できる。
【００３０】
請求項７に記載の発明は、請求項６に記載の発明において、プリピットと、ピット間ピット又はピット間グルーブとの間では、所定時間光量が０になるように光量変調することを特徴とする。
【００３１】
この請求項７に記載の発明では、請求項６に記載の発明と同様な作用効果を奏するとともに、ピット間ピット又はピット間グルーブへの影響を減らすことができるので、急峻なプリピットを形成できる。
【００３２】
【発明の実施の形態】
以下、添付した図面を参照しながら本発明の実施の形態を詳細に説明する。先ず図１を参照しながら第１実施の形態を説明する。図１は、第１実施の形態に係るプリピット及びピット間ピットを説明するための図であり、（ａ）はピット及びピット間ピットを示す平面図であり、（ｂ）は（ａ）のＣＣ断面図であり、（ｃ）は（ａ）のＤＤ断面図である。
【００３３】
図１に示すように、第１実施の形態では、光ディスク２０は、回転方向に沿って形成されたプリピット２１により情報を記録するものであり、これらプリピット列２２に沿ってプリピット２１とプリピット２１との間に、プリピット２１深さよりも浅いピット間ピット（以後、単に「小ピット」という）２３が形成されている（図１（ｃ）参照）。
【００３４】
本実施の形態では、小ピット２３の両端の中央部２３ａを略平にしており、図１（ｂ）に示すように、小ピット２３の底の中央部（半径方向断面の中央部）２３ｂを凸にしている。これにより、プリピット２１の形状は、トラック２４方向の中心（以後、単に「トラック中心」という）とその周辺が均等に小ピット２３の影響を受け、若しくは周辺がトラック中心より強く影響を受けるので、トラック中心が尖った形状になることなく、またトラック中心での小ピット２３の影響が少なくなるのでトラック中心の急峻度も改善される。
【００３５】
これに対し従来においては、図７（ｃ）に示すように、小ピット１３１がトラック中心において、小ピット１３１とプリピット１３２とが最も接近するため、プリピット１３２のトラック中心が周辺に比べより強く小ピット１３１の影響を受けて図７（ｄ）に示すようにプリピット１３２ａが尖ってしまうが、本実施の形態では、上述のように小ピット２３の両端部の中央部２３ａを略平らにするとともに、小ピット２３の底面の中央部２３ｂを凸にしているので、プリピット２１が尖ってしまうのを防止する。
【００３６】
尚、本実施の形態では、小ピット２３の両端の中央部２３ａを略平らにしたが、これに限定されるものではなく、例えば、図２に示すように、小ピット２３の両端部の中央部２３ａを、プリピット３から離れる方向に凹ませても良い。また、小ピット２３の底面を略平らにしても、同様の作用効果を奏する。
【００３７】
このような小ピット２３の形成は、従来において、トラック中心を通る１本のビームにより露光することで行っていたが、本実施の形態では、トラック中心を通らない複数のビームをトラック中心から両側に離して露光することにより形成している。
【００３８】
ここで、第１実施の形態の露光方法を説明する。先ず、図３により、露光装置３０を説明する。露光装置３０は、光ディスク原盤１を露光するものであり、ピックアップ２と、ビーム整形素子３、３ａと、デジタル変調素子４、４ａと、香料変調素子５、５ａと、レーザー光源６と、光量変調ドライバ７、７ａと、デジタル変調ドライバ８、８ａと、グルーブ用電圧発生器９と、変調信号発生器１０と、ビーム合成素子１１と、ピット用電圧発生器１２と、Ｐｉｔ／Ｐｉｔ間Ｇｒ信号回路１３と、偏向素子１４と、周波数合成器１５、１５ａと、発信機１６ａ、１６ｂとを備えている。
【００３９】
このような構成で、露光装置３０は、レーザー光源６の光を分割し、プリピット光aは光量変調素子５ａでプリピットの露光に必要な光量にし、小ピット用の光（以後Ｇｒ光）bは、Ｇｒ露光に必要な光量にする。
【００４０】
さらに、プリピット光aはデジタル変調素子４ａで、Ｇｒ光bはデジタル変調素子４ｂで、ＯＮ／ＯＦＦする。プリピット光aは、ＣＤエンコーダ１０の信号（図３（ｂ）のプリピット用信号）によりＯＮ／ＯＦＦし、Ｇｒ光ｂは、ＣＤエンコーダ１０の信号を処理したピット間グルーブ用信号（図３（ｂ）参照）でＯＮ／ＯＦＦする。さらにＧｒ光ｂは、発信器１６ａ、１６ｂを周波数合成器１５で合成した信号で偏向素子を駆動して半径方法に２分割される。これらのプリピット光aと２本のＧｒ光ｂを切り替えて光ディスク原盤１に照射することにより、トラック中心から両側にはずしたピット間グルーブまたはピット間ピットとプリピットを形成する。
【００４１】
尚、ビームの分割に関しては、他の方法でもかまわない。また、図３では表示していないが、発信器１６、１５ａは、ＡＴＩＰ信号でＦＭ変調されており、小ピットはウォブリングする。
【００４２】
この露光装置３０で、ガラス基板上に下層１４００Åと上層１７００Åの２層のレジストを形成した光ディスク原盤１を露光することにより、３１００Åのプリピット２１と１７００Åの図２に示す小ピット２３を形成できる。本実施の形態では、原盤１のプリピットと小ピットとを所定時間間隔（図１（ｂ）のｔ１、ｔ２に相当）を空けて交互に切り替えながら露光し（プリピットと小ピットｔの間では、光量を略０にし）、小ピットは２分割されたビームにより露光することにより、小ピット２３の底が略平らか若しくは凸となり、両端が略平らか若しくは凹んだ（窪んだ）小ピット２３を有するプリピット２１を形成した。
【００４３】
また、小ピット２３とプリピット２１との間隔ｅ（図１参照）は、略０．０５μｍとした。この原盤１から溝を転写してスタンパを作成し、このスタンパから成形して３１００Åのプリピット２１と１７００Åの小ピット２３を有する基板を作成した（プリピット２１、小ピット２３とも幅は０．６μｍ、ピッチは１．６μｍ、ｗｏｂｂｌｅの振り幅は約１１０ｎｍ）。
【００４４】
この基板に、フタロシアニン色素からなる光吸収層をエチルシクロヘキサンからなる混合溶媒を塗布液としてスピンコートする事により設けた。光吸収層塗布後、１００℃、３０分で熱処理後、スパッタ法によりＡｇを約１４００Åの厚さに設け反射層とした。その上に紫外線硬化樹脂をスピナーにより塗布し、紫外線で硬化させ約５μｍの保護層を設け、更にその上に紫外線硬化インクをスクリーン印刷法により塗布し、紫外線で硬化後上部保護層として約１０μｍ設け、ハイブリッドＣＤ−Ｒ（光ディスク）を作成した。
【００４５】
次に、他の実施の形態を説明するが、その説明にあたり、上述した部分と同様な部分には、同一の符号を付することにより、その説明を省略する。
【００４６】
第２実施の形態を図４に示す。２実施の形態では、第１実施の形態よりも２分割されたビームのビーム間距離を広げ、光量を下げることにより、幅０．２５μｍの小ピット２３を０．０５μｍ離して２本形成した。小ピット２３とプリピット２１の間隔fは、略０．０５μｍとした。この原盤１から上記と同様にハイブリッドＣＤ−Ｒを作成した。
【００４７】
第３実施の形態を図５に示す。第２実施の形態よりも、図３（ｂ）に示すｔ１、ｔ２を短くし、プリピット２１とピット間グルーブ２５と接続した。この原盤から上記と同様にハイブリッドＣＤ−Ｒを作成した。
【００４８】
第４実施の形態を図６に示す。第１実施の形態よりも前記ｔ１、ｔ２を短くし、プリピット２１とピット間グルーブ２５と接続した。この原盤１から上記と同様にハイブリッドＣＤ−Ｒを作成した。尚、本実施の形態では、ピット間グルーブ２５の底の中央部２５ａには凸が形成されている。
【００４９】
上述の各実施の形態及び後述する各比較例のプリピットのジッタ値を下記表１に示す。
【００５０】
【表１】
0003930681.tif 000002
【００５１】
表１の比較例１では、図７に示すピット間ピット１３１を１ビームで露光し、この原盤から上記と同様にハイブリッドＣＤ−Ｒを作成した。プリピット１３２は上述の第１実施の形態と同様で、ピット間ピットの幅は０．４μｍで、プリピット１３２との間隔、深さ等は第１実施の形態と同様とした。また、比較例２では、比較例１よりも、前記ｔ１、ｔ２を短くして、ピット間グルーブを１ビームで露光し、この原盤から上記と同様にハイブリッドＣＤ−Ｒを作成した。
【００５２】
この表１により、比較例１及び２に比べて、第１乃至第４実施の形態のジッタ値が低くなり、プリピットのジッタが改善された。
【００５３】
本発明は、上述した実施の形態に限定されず、その要旨を逸脱しない範囲内において、種々の変形が可能である。例えば、小ピット２３の両端の中央部２３ａを略平ら若しくは凹ませ、小ピット２３の底を略平らにしたり、或いは、小ピット２３の底の中央部２５ｂを凸にするのみであっても良い。
【００５４】
【発明の効果】
請求項１に記載の発明では、ピット間ピットのプリピット側の端部の形状を平らにしたり、或いは凹ませていることにより、ピット間ピットのプリピットへの影響がトラック中心から両側へ分散するので、プリピットのトラック中心のみが伸びるのを防止でき、プリピットのジッタを改善できる。
【００５５】
請求項２に記載の発明では、ピット間ピットの底の中央部が凸になっていることにより、ピット間ピットのプリピットへの影響がトラック中心から両側へ分散するので、プリピットのトラック中心のみが伸びるのを防止でき、プリピットのジッタを改善できる。
【００５６】
請求項３に記載の発明では、ピット間ピットが、トラックに沿って平行に且つプリピットのトラック中心位置から両側に２本形成されていることにより、ピット間ピットのプリピットへの影響がトラック中心から両側に分散するので、プリピットのトラック中心のみが伸びるのを防止でき、プリピットのジッタを改善できる。
【００５７】
請求項４に記載の発明では、ピット間グルーブの底面の略中央部が凸になっていることにより、ピット間グルーブのプリピットへの影響がトラック中心から両側へ分散するので、プリピットのトラック中心のみが伸びるのを防止でき、プリピットのジッタを改善できる。
【００５８】
請求項５に記載の発明では、ピット間グルーブがトラックに沿って平行に且つトラック中心から両側に２本形成されていることにより、ピット間グルーブのプリピットへの影響がトラック中心から両側へ分散するので、プリピットのトラック中心のみが伸びるのを防止でき、プリピットのジッタを改善できる。
【００５９】
請求項６に記載の発明では、ピット間ピット又はピット間グルーブを半径方向に並んだ複数のビームで分散して露光するので、ピット間ピット又はピット間グルーブへの露光の影響が、プリピットのトラック中心に偏るのを防止でき、プリピットのジッタが改善された光ディスクを提供できる。
【００６１】
請求項７に記載の発明では、請求項６に記載の発明と同様な効果を奏するとともに、ピット間ピットまたはピット間グルーブのプリピットへの影響を減らすことができるので、急峻なプリピットを形成でき、プリピットのジッタが更に改善された光ディスクを提供できる。
【図面の簡単な説明】
【図１】第１実施の形態に係るプリピット及びピット間ピットを説明するための図であり、（ａ）はピット及びピット間ピットを示す平面図であり、（ｂ）は（ａ）のＣＣ断面図であり、（ｃ）は（ａ）のＤＤ断面図である。
【図２】変形例に係るプリピット及びピット間ピットを示す平面図である。
【図３】光ディスク原盤への露光を説明するための図であり、（ａ）は露光装置の構成を示す図であり、（ｂ）はプリピット用信号及びピット間グルーブ用信号のタイミングチャートである。
【図４】第２実施の形態にかかるプリピット及びピット間ピットを示す平面図である。
【図５】第３実施の形態にかかるプリピット及びピット間グルーブを示す図であり、（ａ）はプリピット及びプリピット間グルーブを示す平面図であり、（ｂ）は（ａ）のＥＥ断面図であり、（ｃ）は（ａ）のＦＦ断面図である。
【図６】第４実施の形態に係るプリピット及びピット間グルーブを示す図であり、（ａ）はプリピット及びプリピット間グルーブを示す平面図であり、（ｂ）は（ａ）のＧＧ断面図であり、（ｃ）は（ａ）のＨＨ断面図である。
【図７】従来にかかる露光装置の構成を示す図である。
【図８】従来にかかるプリピット及びピット間ピットを示す図であり、（ａ）は従来にかかるプリピットを示す平面図であり、（ｂ）は（ａ）のＡＡ断面図であり、（ｃ）はピット間ピットを示す平面図であり、（ｄ）はプリピットのトラック中心が伸びた状態を示す平面図であり、（ｅ）は（ｄ）のＢＢ断面図である。
【符号の説明】
１      光ディスクの原盤
２０    光ディスク
２１    プリピット
２３    ピット間ピット
２５    ピット間グルーブ
【図１】
0003930681.tif 000003
【図２】
0003930681.tif 000004
【図３】
0003930681.tif 000005
【図４】
0003930681.tif 000006
【図５】
0003930681.tif 000007
【図６】
0003930681.tif 000008
【図７】
0003930681.tif 000009
【図８】
0003930681.tif 000010